(57)【要約】【課題】データの破綻を招かないように複数のＯＳＤデータを適切に合成することができるオンスクリーン表示用画像の合成方法、このような合成方法を適用したオンスクリーン表示装置、及びデジタルカメラを提供すること。【解決手段】メモリ１から複数のＯＳＤデータを読み出し、そのうちの最大数のカラーパレット配列を有していないＯＳＤ２データを変換テーブル４に入力し、最大数のカラーパレット配列を有しているＯＳＤ１データを重畳処理部５に入力する。変換テーブルにおいて、最大数のカラーパレット配列を有していないＯＳＤ２データのデータ形式をＯＳＤ１データのデータ形式に等しくしてから重畳処理部５においてＯＳＤ１データとＯＳＤ２データとの合成を行い、合成して得られたＯＳＤ３データをメモリ１に格納する。【選択図】図１
2007129465.tif 000002
【特許請求の範囲】
【請求項１】
色情報をテーブル化したテーブルデータに対応して設定されたテーブル番号で構成された複数のオンスクリーン表示用画像データを合成して１つのオンスクリーン表示用画像データを作成し、
前記作成した１つのオンスクリーン表示用画像データをメモリに格納することを特徴とするオンスクリーン表示用画像データの合成方法。
【請求項２】
前記合成に先立って、前記複数のオンスクリーン表示用画像データの中で最大の色数を持つオンスクリーン表示用画像データ以外のテーブル番号のデータ形式を、前記最大の色数を持つオンスクリーン表示用画像データのテーブル番号のデータ形式に変換することを特徴とする請求項１に記載のオンスクリーン表示用画像データの合成方法。
【請求項３】
前記変換は、前記最大の色数を持つオンスクリーン表示用画像データ以外のテーブル番号を、それぞれのテーブル番号に対応した色情報に相等しい色情報に対応する前記最大の色数を持つオンスクリーン表示用画像データのテーブル番号に変換する変換テーブルに基づいて行うことを特徴とする請求項２に記載のオンスクリーン表示用画像データの合成方法。
【請求項４】
前記変換は、前記最大の色数を持つオンスクリーン表示用画像データ以外のテーブル番号のビット幅を、その値を変えないように、前記最大の色数を持つオンスクリーン表示用画像データのテーブル番号のビット幅に拡張することで行うことを特徴とする請求項２に記載のオンスクリーン表示用画像データの合成方法。
【請求項５】
前記色情報は、ＹＣｂＣｒデータ若しくはＲＧＢデータであり、
前記オンスクリーン表示用画像データは、メニュー情報表示と撮影情報表示の少なくとも何れか一方を含む情報を表示するためのデータであること特徴とする請求項１に記載のオンスクリーン表示用画像データの合成方法。
【請求項６】
色情報をテーブル化したテーブルデータに対応して設定されたテーブル番号からなる複数のオンスクリーン表示用画像データを合成して１つのオンスクリーン表示用画像データを作成するデータ合成部と、
前記データ合成部で作成された１つのオンスクリーン表示用画像データを記憶する記憶部と、
前記記憶部に記憶されたオンスクリーン表示用画像データを読み出して実画像に重畳して表示する表示部と、
を具備し、
前記データ合成部は、
前記複数のオンスクリーン表示用画像データ中で最大の色数を持つオンスクリーン表示用画像データ以外のテーブル番号を、それぞれのテーブル番号に対応した色情報に相等しい色情報に対応する前記最大の色数を持つオンスクリーン表示用画像データのテーブル番号に変換するデータ変換部と、
前記最大の色数を持つオンスクリーン表示用画像データ以外のテーブル番号のビット幅を、その値を変えないように、前記最大の色数を持つオンスクリーン表示用画像データのテーブル番号のビット幅に拡張するデータ拡張部と、
前記データ変換部の出力と前記データ拡張部の出力の何れかを選択し、選択した出力と前記最大の色数を持つオンスクリーン表示用画像データとで前記合成を行う合成処理部と、
を有することを特徴とするオンスクリーン表示装置。
【請求項７】
前記合成処理部は、前記最大の色数を持つオンスクリーン表示用画像データ以外のテーブル番号の値が、それぞれのテーブル番号に対応する色情報と相等しい色情報に対応する前記最大の色数を持つテーブルのテーブル番号の値に一致しない場合に前記データ変換部の出力を選択して前記合成を行い、一致する場合に前記データ拡張部の出力を選択して前記合成を行うことを特徴とする請求項６に記載のオンスクリーン表示装置。
【請求項８】
請求項６又は７に記載のオンスクリーン表示装置を搭載したデジタルカメラであって、
前記色情報は、ＹＣｂＣｒデータ若しくはＲＧＢデータであり、
前記オンスクリーン表示用画像データは、メニュー情報表示と撮影情報表示の少なくとも何れか一方を含む情報を表示するためのデータであり、
前記実画像は、前記デジタルカメラが有する撮像素子によって得られる撮影画像と前記デジタルカメラが有する記録媒体から読み出される再生画像の少なくとも何れかを含むことを特徴とするデジタルカメラ。
【発明の詳細な説明】
【技術分野】
【０００１】
本発明は、オンスクリーン表示用画像データの合成方法、オンスクリーン表示装置、及びデジタルカメラに関する。
【背景技術】
【０００２】
デジタルカメラは、撮影によって得られた画像等の実画像を該デジタルカメラに設けられたＴＦＴ液晶等の表示部に表示したり、テレビジョン受像機等の外部表示装置に表示したりする機能を有しているものが多い。このような画像表示の際には、実画像の上にメニューやモード設定、撮影情報などの情報を示す画像を重畳表示することがあるが、これらのような画像はオンスクリーン表示用画像（On Screen Display  以下ＯＳＤ画像と略記する）と呼ばれている。このＯＳＤ画像は、単調な画像が多いので、一般的には、複数色のカラーパレットを準備し、このカラーパレットに対応するカラーパレット番号でビットマップ化されている。
【０００３】
昨今では、ＯＳＤ画像として一度に表示させるキャラクタ数が増大してきており、これに伴って複数のＯＳＤ画像を実画像に重畳する必要が生じてきている。この対策例として、特許文献１の手法を応用した例を、図６を参照して説明する。
【０００４】
図６に示すように、メモリ１０１には色データ（例えばＹＣｂＣｒデータやＲＧＢデータ）で構成された実画像データと、この実画像データに重畳させる複数のＯＳＤデータ（ＯＳＤ１データ及びＯＳＤ２データ）とが格納されている。システムバス１０２は、メモリ１０１とアービタ１０３とに接続されたデータ転送路である。アービタ１０３は、カラーパレット変換部１０４ａ及び１０４ｂと重畳処理部１０５とに接続され、カラーパレット変換部１０４ａからのＯＳＤ１データの取得要求、カラーパレット変換部１０４ｂからのＯＳＤ２データの取得要求、及び重畳処理部１０５からの実画像データの取得要求に対し、所定の優先順位に従って、カラーパレット変換部１０４ａ、１０４ｂ、重畳処理部１０５の何れかにデータを取得させる。
【０００５】
カラーパレット変換部１０４ａは、カラーパレット番号で構成されたＯＳＤ１データを実画像に対応する色データに変換して重畳処理部１０５に出力する。カラーパレット変換部１０４ｂは、カラーパレット番号で構成されたＯＳＤ２データを実画像に対応する色データに変換して重畳処理部１０８に出力する。
【０００６】
重畳処理部１０５は、実画像データに、色データ化されたＯＳＤ１データを重畳し、重畳によって得られた重畳画像データを重畳処理部１０８に出力する。重畳処理部１０８は、重畳画像データに色データ化されたＯＳＤ２を重畳し、重畳によって得られた重畳画像データを表示出力処理部１０９に出力する。表示出力処理部１０９は、重畳画像データをＮＴＳＣ形式等の所定の映像信号に変換して表示部１１０に表示させる。このようにして表示部１１０には、実画像１１０ａにＯＳＤ画像１１０ｂとＯＳＤ画像１１０ｃが重畳された画像が表示される。
【０００７】
即ち、上記のような特許文献１のような手法は、実画像に対し、複数のＯＳＤ画像を順々に重ねていく手法である。
【特許文献１】特開平１０−１５０６０９号公報
【発明の開示】
【発明が解決しようとする課題】
【０００８】
ここで、上記した特許文献１のような手法は、実画像の表示のタイミングに合わせて複数のＯＳＤ画像を重畳する必要があり、かつこの重畳の際には複数のＯＳＤデータをメモリ１０１から読み出さなければならないため、場合によっては重畳させるＯＳＤデータが表示のタイミングまでに用意できずに、データの破綻を招く可能性がある。
【０００９】
本発明は、上記の事情に鑑みてなされたもので、データの破綻を招かないように複数のＯＳＤデータを適切に合成することができるオンスクリーン表示用画像の合成方法、このような合成方法を適用したオンスクリーン表示装置、及びデジタルカメラを提供することを目的とする。
【課題を解決するための手段】
【００１０】
上記の目的を達成するために、本発明の第１の態様によるオンスクリーン表示用画像データの合成方法は、色情報をテーブル化したテーブルデータに対応して設定されたテーブル番号で構成された複数のオンスクリーン表示用画像データを合成して１つのオンスクリーン表示用画像データを作成し、前記作成した１つのオンスクリーン表示用画像データをメモリに格納することを特徴とする。
【００１１】
この第１の態様によれば、実画像に複数のオンスクリーン表示用画像を重畳するのに先立って、予め複数のオンスクリーン表示用画像同士を合成しておくことができるので、重畳時にデータの破綻招くことがない。
【００１２】
また、上記の目的を達成するために、本発明の第２の態様によるオンスクリーン表示装置は、色情報をテーブル化したテーブルデータに対応して設定されたテーブル番号からなる複数のオンスクリーン表示用画像データを合成して１つのオンスクリーン表示用画像データを作成するデータ合成部と、前記データ合成部で作成された１つのオンスクリーン表示用画像データを記憶する記憶部と、前記記憶部に記憶されたオンスクリーン表示用画像データを読み出して実画像に重畳して表示する表示部とを具備し、前記データ合成部は、前記複数のオンスクリーン表示用画像データ中で最大の色数を持つオンスクリーン表示用画像データ以外のテーブル番号を、それぞれのテーブル番号に対応した色情報に相等しい色情報に対応する前記最大の色数を持つオンスクリーン表示用画像データのテーブル番号に変換するデータ変換部と、前記最大の色数を持つオンスクリーン表示用画像データ以外のテーブル番号のビット幅を、その値を変えないように、前記最大の色数を持つオンスクリーン表示用画像データのテーブル番号のビット幅に拡張するデータ拡張部と、前記データ変換部の出力と前記データ拡張部の出力の何れかを選択し、選択した出力と前記最大の色数を持つオンスクリーン表示用画像データとで前記合成を行う合成処理部とを有することを特徴とする。
【００１３】
この第２の態様によれば、複数のオンスクリーン表示用画像データを合成して１つのオンスクリーン用表示画像データを作成する際に、オンスクリーン表示用画像データ間でのデータ形式を等しくすることができるので、適切な合成を行うことができる。
【００１４】
また、上記の目的を達成するために、本発明の第３の態様によるデジタルカメラは、第２の態様に記載のオンスクリーン表示装置を搭載したデジタルカメラであって、前記色情報は、ＹＣｂＣｒデータ若しくはＲＧＢデータであり、前記オンスクリーン表示用画像データは、メニュー情報表示と撮影情報表示の少なくとも何れか一方を含む情報を表示するためのデータであり、前記実画像は、前記デジタルカメラが有する撮像素子によって得られる撮影画像と前記デジタルカメラが有する記録媒体から読み出される再生画像の少なくとも何れかを含むことを特徴とする。
【００１５】
この第３の態様によれば、第２の態様のオンスクリーン表示装置をデジタルカメラに適用することができる。
【発明の効果】
【００１６】
本発明によれば、データの破綻を招かないように複数のＯＳＤデータを適切に合成することができるオンスクリーン表示用画像の合成方法、このような合成方法を適用したオンスクリーン表示装置、及びデジタルカメラを提供することができる。
【発明を実施するための最良の形態】
【００１７】
以下、図面を参照して本発明の実施形態を説明する。  
［第１の実施形態］
図１は、本発明の第１の実施形態に係るオンスクリーン表示用画像データの合成方法を適用したオンスクリーン表示装置の構成について示す図である。図１に示すオンスクリーン表示装置は、メモリ１と、システムバス２と、アービタ３と、変換テーブル４と、重畳処理部５と、アービタ６と、カラーパレット変換部７と、重畳処理部８と、表示出力処理部９と、表示部１０とから構成されている。
【００１８】
記憶部としてのメモリ１には色データ（例えばＹＣｂＣｒデータやＲＧＢデータ）で構成された実画像と、この実画像に重畳させる、複数のＯＳＤデータ（ここではＯＳＤ１データ及びＯＳＤ２データの２つ）で構成された複数のＯＳＤ画像とが格納されている。以後、例として、ＯＳＤ１データは８色のカラーパレット番号データ、ＯＳＤ２データは４色のカラーパレット番号データであるとして説明を続ける。この場合、ＯＳＤ１データは３ｂｉｔのカラーパレット番号データで構成され、ＯＳＤ２データは２ｂｉｔのカラーパレット番号データで構成される。
【００１９】
システムバス２は、メモリ１と、アービタ３及びアービタ６とに接続されたデータ転送路である。アービタ３は、システムバス２の他に、変換テーブル４と、重畳処理部５とに接続され、変換テーブル４からのＯＳＤ２データの取得要求及び重畳処理部５からのＯＳＤ１データの取得要求に対し、予め定められた優先順位に従って変換テーブル４と、重畳処理部５の何れかにデータを取得させる。
【００２０】
データ変換部としての変換テーブル４は、ＯＳＤ１データにＯＳＤ２データを重畳可能とするために、ＯＳＤ２データのデータ形式をＯＳＤ１データのデータ形式に変換する。合成処理部としての重畳処理部５は変換テーブル４でデータ形式が変換されたＯＳＤ２データとＯＳＤ１データとを合成し、これによって得られたＯＳＤ３データを、アービタ３を介してメモリ１に格納する。これら変換テーブル４及び重畳処理部５については、後で詳しく説明する。
【００２１】
アービタ６は、システムバス２の他に、カラーパレット変換部７と、重畳処理部８とに接続され、カラーパレット変換部７からのＯＳＤ３データの取得要求及び重畳処理部８からの実画像データの取得要求に対し、予め定められた優先順位に従ってカラーパレット変換部７と、重畳処理部８の何れかにデータを取得させる。
【００２２】
カラーパレット変換部７は、カラーパレット番号を、カラーパレット番号に対応して設定された色データに変換するためのテーブルを有しており、カラーパレット番号で構成されたＯＳＤ３データを実画像に対応する色データに変換して重畳処理部８に出力する。重畳処理部８は、実画像データに同期してＯＳＤ３データを読み出して重畳し、重畳によって得られた重畳画像データを表示出力処理部９に出力する。表示出力処理部９は、重畳処理部８から入力された重畳画像データをＮＴＳＣ形式等の所定の映像信号に変換して表示部１０に表示させる。
【００２３】
次に、図２と図３を参照して変換テーブル４と重畳処理部５とについて更に詳しく説明する。図２は、変換テーブル４の構成を示す図である。図２に示すように、変換テーブル４は、ＯＳＤ１データとＯＳＤ２データのビット幅を等しくするために、３ｂｉｔ×４Ｗｏｒｄで構成された変換テーブルを有している。
【００２４】
ここで、ビット幅を等しくする最も簡単な手法として２ｂｉｔのＯＳＤ２データの最上位ビットに“０”を付加して３ｂｉｔ化することが考えられる。ただし、この手法はＯＳＤ画像２が有する４色のカラーパレット配列と、これら４色に対応するＯＳＤ画像１のカラーパレット配列とが等しい、即ち、ＯＳＤ画像２とＯＳＤ画像１とで同色のカラーパレット番号の値が等しい場合にのみ用いることができる。
【００２５】
例えば、ＯＳＤ画像１が持つ８色のカラーパレットの配列が図３の参照符号１ａで示すようなものであり、ＯＳＤ画像２が持つ４色のカラーパレットの配列が図３の参照符号１ｂで示すものであるような場合には上記したような最上位ビットに“０”を付加する手法は用いることができない。例えば、図３においては、ＯＳＤ画像２において“白”を表すカラーパレット番号は“００”である。ところが、この最上位ビットに“０”を付加することによって得られる“０００”はＯＳＤ画像１において“黄”を示すカラーパレット番号となってしまう。したがって、このまま重畳を行うと、元々白であったＯＳＤ画像２が黄色であると見なされて合成されてしまうことになる。
【００２６】
そこで、第１の実施形態においては、このような誤った色のＯＳＤ画像が合成されるのを防止するために、変換テーブル４のテーブルデータを図３の参照符号４ａで示すように設定するようにする。この変換テーブル４ａのテーブルデータは、ＯＳＤ画像２の各色のデータ（カラーパレット番号）がＯＳＤ画像１の対応する各色のデータに変換されるように設定されている。例えば、上記した“白”の例では、ＯＳＤ画像２において“白”を表す２ｂｉｔのデータ“００”が、ＯＳＤ画像１において“白”を表す３ｂｉｔのデータ“０１０”に変換される。
【００２７】
以上説明したような第１の実施形態によれば、実画像に複数のＯＳＤ画像を重畳する際に、予め複数のＯＳＤ画像１、２を合成しておき、これによって得られたＯＳＤ画像３を重畳の前にメモリ１に格納しておくことにより、データの破綻を招かずに、実画像の表示のタイミングに同期して複数のＯＳＤ画像を重畳表示することができる。
【００２８】
また、複数のＯＳＤ画像の間で、ビット幅、カラーパレット配列といったデータ形式を等しくしてから合成を行うので、カラーパレット番号で構成されたＯＳＤデータを、色データに戻さずに合成することができる、即ち処理データ量を削減することができると共に、合成の際に誤った色のデータが合成されてしまうこともない。
【００２９】
ここで、第１の実施形態においては、ＯＳＤ１データとＯＳＤ２データの２つのＯＳＤデータの合成について説明しているが、３つ以上のＯＳＤデータの合成においても基本的な考え方は２つの場合と変わらず、「最大の色数を有するＯＳＤ画像以外のＯＳＤデータ」のビット幅を、「最大の色数を有するＯＳＤ画像における同じ色のＯＳＤデータ」に変換するようなテーブルを設ければ良い。例えば、２ｂｉｔのＯＳＤデータ（４色のカラーパレットデータ）と、３ｂｉｔのＯＳＤデータ（８色のカラーパレットデータ）と、４ｂｉｔのＯＳＤデータ（１６色のカラーパレットデータ）の３つのＯＳＤデータを合成する際には、２ｂｉｔのＯＳＤデータと３ｂｉｔのＯＳＤデータの各色のデータを、４ｂｉｔのＯＳＤデータにおいて対応する各色のデータに変換するようなテーブルを設けるようにすれば良い。即ち、このような変換テーブルは、２ｂｉｔのＯＳＤデータを４ｂｉｔにおいて対応する色のＯＳＤデータに変換する４ｂｉｔ×４Ｗｏｒｄのテーブルと、３ｂｉｔのＯＳＤデータを４ｂｉｔにおいて対応する色のＯＳＤデータに変換する４ｂｉｔ×８Ｗｏｒｄのテーブルとで構成されることになる。このような変換テーブルを用いて、まず、２ｂｉｔのＯＳＤデータと４ｂｉｔのＯＳＤデータとを合成し、これによって得られた４ｂｉｔのＯＳＤデータと３ｂｉｔのＯＳＤデータとを合成する。
【００３０】
なお、先に２ｂｉｔのＯＳＤデータと３ｂｉｔのＯＳＤデータの合成を行ってから、この合成によって得られる３ｂｉｔのＯＳＤデータと４ｂｉｔのＯＳＤデータとを合成するようにしても良い。
【００３１】
また、変換テーブル４のデータは、ＯＳＤデータの全ての合成の組み合わせに対応した変換テーブルを格納しておくようにしても良いし、重畳するＯＳＤ画像が選択された時点でそれに対応する変換テーブルを生成するようにしても良い。
【００３２】
［第２の実施形態］
次に、本発明の第２の実施形態について説明する。図４は、本発明の第２の実施形態に係るオンスクリーン表示装置をデジタルカメラに適用した場合の図である。なお、図４において、図１と同様の構成については図１と同様の参照符号を付すことにより説明を省略する。
【００３３】
図４において、撮像素子１１は、被写体を撮像して撮影画及びスルー画のための実画像を取得する。ここで、撮影画は静止画又は動画を記録するために取得される実画像であり、スルー画は被写体観察の目的等のために表示部１０に表示される実画像である。以下、これらを特に区別せずに実画像と称する。
【００３４】
プリプロセス部１２は撮像素子１１において得られた実画像に対し、波形変換、ノイズ除去、増幅等のアナログ処理を行い、このアナログ処理された実画像をデジタル信号に変換してデジタルの実画像データを取得する。プリプロセス部１２で得られた実画像データは、システムバス２を介して上記したメモリ１に格納される。
【００３５】
画像処理部１３は、メモリ１に格納された実画像データを読み出し、この読み出した実画像データに対して、記録のための画像処理又は表示のための画像処理を施す。ここで、記録のための画像処理には、ホワイトバランス補正や、γ補正、色補正、圧縮等が含まれる。一方、表示のための画像処理には、ホワイトバランス補正や、リサイズ処理等が含まれる。これら処理については周知の画像処理手法を用いれば良いのでここでは説明を省略する。画像処理部１３で処理された実画像データは、システムバス２を介してメモリ１に書き戻される。
【００３６】
ここで、スルー画表示の場合には、メモリ１に格納された画像処理後の実画像データが、システムバス２、アービタ６を介して重畳処理部８によって読み出される。この際、実画像に複数のＯＳＤ画像を重畳する必要がある場合には、重畳処理部８において実画像データを読み出す前に、メモリ１に格納されたＯＳＤデータがアービタ３を介して読み出される。
【００３７】
ここで、第２の実施形態のオンスクリーン表示装置が第１の実施形態のオンスクリーン表示装置と異なっている点は、第２の実施形態には、データ拡張部としてのｂｉｔ拡張部１４が設けられている点である。第２の実施形態においては、ＯＳＤ画像２が有するカラーパレット配列と、ＯＳＤ画像２が有するカラーパレットの各色に対応するＯＳＤ画像１のカラーパレット配列とが等しい、即ち、ＯＳＤ画像２とＯＳＤ画像１とで同色のカラーパレット番号の値が等しい場合には、ｂｉｔ拡張部１４からアービタ３にＯＳＤ２データの取得要求がなされ、等しくない場合には変換テーブル４からアービタ３にＯＳＤ２データの取得要求がなされる。アービタ３はこれらの取得要求に従って、変換テーブル４とｂｉｔ拡張部１４の何れかにデータを取得させる。
【００３８】
変換テーブル４は、上記した第１の実施形態と同じ処理を行い、変換テーブルによって変換されたＯＳＤ２データをセレクタ１５に出力する。一方、ｂｉｔ拡張部１４は、ＯＳＤ２データの最上位ビットにＯＳＤ１データのビット幅とＯＳＤ２データのビット幅との差分に相当するだけの“０”を付加してＯＳＤ２データのデータ形式をＯＳＤ１データのデータ形式と等しくする処理を行う。つまり、ｂｉｔ拡張部１４によってＯＳＤ２データのビット幅はＯＳＤ１データのビット幅と等しくなる。
【００３９】
セレクタ１５は、変換テーブル４の出力とｂｉｔ拡張部１４の出力のうち、何れか入力されたほうの出力を選択して、その選択した出力を重畳処理部５に出力する。これ以後のオンスクリーン表示装置の動作は上記した第１の実施形態と同様である。
【００４０】
また、図４において、撮影画を記録する場合には、記録制御部１６は、メモリ１に格納された記録のための画像処理が施された実画像データを記録媒体としてのメモリカード１７に記録する。なお、記録媒体はメモリカードに限定されるものではない。
【００４１】
以上説明したように、第２の実施形態においては、上記した第１の実施形態の効果に加え、変換テーブル４とｂｉｔ拡張部１４の何れか適切なほうの出力を用いてＯＳＤデータの合成を行うことができる。一般に、ｂｉｔ拡張部１４は、変換テーブル４よりも高速に処理を行うことができるので、ｂｉｔ拡張部１４の出力を利用しても支障がない場合には、ｂｉｔ拡張部１４の出力を選択することにより、全体の重畳表示処理の高速化を図ることができる。
【００４２】
なお、第２の実施形態においては、スルー画表示の際の重畳表示を例として説明しているが、メモリカード１７に記録された画像を再生する際の重畳表示に第２の実施形態の手法を適用しても良いことは言うまでもない。
【００４３】
以上実施形態に基づいて本発明を説明したが、本発明は上記した実施形態に限定されるものではなく、本発明の要旨の範囲内で種々の変形や応用が可能なことは勿論である。
【００４４】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００４５】
【図１】本発明の第１の実施形態に係るオンスクリーン表示用画像データの合成方法を適用したオンスクリーン表示装置の構成について示す図である。
【図２】変換テーブルの構成を示す図である。
【図３】変換テーブルの具体例について説明するための図である。
【図４】本発明の第２の実施形態に係るオンスクリーン表示装置をデジタルカメラに適用した場合の図である。
【図５】ｂｉｔ拡張部を利用することができるＯＳＤ画像の例を示す図である。
【図６】従来例について示す図である。
【符号の説明】
【００４６】
１，１０１…メモリ、２，１０２…システムバス、３，６，１０３…アービタ、４…変換テーブル、５，８，１０５，１０８…重畳処理部、７，１０４ａ，１０４ｂ…カラーパレット変換部、９，１０９…表示出力処理部、１０，１１０…表示部、１１…撮像素子、１２…プリプロセス部、１３…画像処理部、１４…ｂｉｔ拡張部、１５…セレクタ、１６…記録制御部、１７…メモリカード
【図１】
2007129465.tif 000003
【図２】
2007129465.tif 000004
【図３】
2007129465.tif 000005
【図４】
2007129465.tif 000006
【図５】
2007129465.tif 000007
【図６】
2007129465.tif 000008